(57)【要約】本開示は、既存技術の下で、サーバの記憶資源の浪費の問題に取り組むために、ピクチャ関連情報を提供する方法および装置を提供する。サーバは、第１のユーザによって公開される情報とこの情報を公開するときに参照されるピクチャとの間の対応関係を確立し、第２のユーザが指定された操作をこの情報について実施することを検出すると、サーバは、この情報と対応関係を有するピクチャを見出し、第２のユーザによって実施される操作行為の操作情報を記録し、そして記録された操作情報を、第１のユーザに提供される見出されたピクチャの関連情報として記憶する。前述の方法を通して、第１のユーザはそれぞれのピクチャの関連情報に従って削除されるピクチャを選択し、選択されたピクチャをサーバによって提供される記憶スペースから削除可能である。そのため、記憶スペースが大きく占有されることはなく、したがって、サーバの記憶資源を節約する。
2015513164.tif 000002
【特許請求の範囲】
【請求項１】
ピクチャ関連情報を提供する方法であって、
第１のユーザによって情報を公開するときの、公開される前記情報と参照されるピクチャとの間の対応関係を、サーバによって確立し、記憶することと、
第２のユーザが指定された操作を前記情報について実施することを検出することに応答して、前記情報との前記対応関係を有する前記ピクチャを、前記サーバによって見出すことと、
前記第２のユーザによって実施された前記指定された操作の操作情報を記録し、前記記録された操作情報を前記見出されたピクチャの関連情報として記憶することと、を含む、方法。
【請求項２】
前記見出されたピクチャの前記関連情報を前記第１のユーザに提供することをさらに含む、請求項１に記載の方法。
【請求項３】
前記第２のユーザが前記指定された操作を前記情報について実施することを検出することは、
前記第２のユーザがクリック操作を前記指定された情報について実施することを検出することと、
前記見出されたピクチャの前記関連情報を前記第１のユーザに提供することであって、
記憶される前記見出されたピクチャの関連情報片の数を判定することと、
記憶される前記見出されたピクチャの前記関連情報および前記判定された数を提供することと、を含む、前記第１のユーザに提供することと、を含む、請求項２に記載の方法。
【請求項４】
前記第１のユーザによって公開される前記情報は商品情報を含み、前記第２のユーザが前記指定された操作を前記情報について実施することを検出することは、
前記第２のユーザが前記商品情報に対応する商品について注文操作を実施することを検出することを含む、請求項１に記載の方法。
【請求項５】
前記第２のユーザによって実施される前記操作の前記操作情報を記録することは、前記第２のユーザによって注文される前記商品情報に対応する前記商品の注文価格を、前記第２のユーザによって実施される前記操作の前記記録された操作情報として記録することを含む、請求項４に記載の方法。
【請求項６】
前記見出されたピクチャの前記関連情報を前記第１のユーザに提供することは、
前記注文価格の合計を取得するために、前記見出されたピクチャの前記関連情報として設定される記録された注文価格を蓄積することと、
記憶される前記見出されたピクチャの前記関連情報および取得される前記注文価格の前記合計を提供することと、を含む、請求項４に記載の方法。
【請求項７】
前記サーバによって、前記第１のユーザに提供される記憶スペースから記憶されたピクチャを抽出することと、
事前設定された格付け規則に従い、かつ前記抽出されたピクチャに関して取得された注文価格のそれぞれの合計に基づいて、前記抽出されたピクチャを格付けすることと、
前記格付けされたピクチャを前記第１のユーザに提示することと、をさらに含む、請求項６に記載の方法。
【請求項８】
ピクチャ関連情報を提供する装置であって、
第１のユーザによって情報を公開するときの、公開される前記情報と参照されるピクチャとの間の対応関係を確立し、記憶するように構成される作成モジュールと、
第２のユーザが指定された操作を前記情報について実施することを検出することに応答して、前記情報との前記対応関係を有する前記ピクチャを見出すように構成される、検出および検索モジュールと、
前記第２のユーザによって実施される前記操作の操作情報を記録し、かつ前記第１のユーザに提供される前記見出されたピクチャの関連情報として、前記記録された操作情報を記憶するように構成される、記録および提供モジュールと、を備える、装置。
【請求項９】
前記検出および検索モジュールは、前記第２のユーザがクリック操作を前記情報について実施することを検出することに応答して、前記第２のユーザが前記指定された操作を前記情報について実施することを判定するようにさらに構成され、
前記記録および提供モジュールは、記憶される前記見出されたピクチャの関連情報片の数を判定し、かつ前記第１のユーザに対して、記憶される前記見出されたピクチャの前記関連情報および前記判定された数を提供するようにさらに構成される、請求項８に記載の装置。
【請求項１０】
前記検出および検索モジュールは、前記第１のユーザによって公開された前記情報が商品情報であるとき、前記第２のユーザが前記商品情報に対応する商品について注文操作を実施することを検出することに応答して、前記第２のユーザが前記指定された操作を前記商品情報について実施することを、判定するようにさらに構成され、
前記記録および提供モジュールは、前記第２のユーザによって注文される前記商品情報に対応する前記商品の注文価格を、前記第２のユーザによって実施される前記操作の前記記録された操作情報として記録するようにさらに構成される、請求項８に記載の装置。
【請求項１１】
前記記録および提供モジュールは、前記注文価格の合計を取得するために、前記見出されたピクチャの前記関連情報として設定されるすべての記録された注文価格を蓄積するようにさらに構成される、請求項１０に記載の装置。
【請求項１２】
前記記録および提供モジュールは、記憶される前記見出されたピクチャの前記関連情報および取得される前記注文価格の前記合計を前記第１のユーザに提供するようにさらに構成される、請求項１１に記載の装置。
【請求項１３】
前記装置は、
前記第１のユーザのピクチャを提示するとき、前記第１のユーザに提供される記憶スペースに記憶された前記ピクチャを抽出し、そして、前記抽出されたピクチャについて取得された注文価格のそれぞれの合計に基づき、かつ事前設定された格付け規則に従って、前記抽出されたピクチャを格付けおよび提示するように構成される、格付けおよび提示モジュールをさらに含む、請求項１２に記載の装置。
【請求項１４】
１つ以上のプロセッサによって実行されたとき、前記１つ以上のプロセッサに対して行為を実施させる実行可能命令を記憶する１つ以上のコンピュータ可読媒体であって、前記行為は、
第１のユーザによって情報を公開するときの、公開される前記情報と参照されるピクチャとの間の対応関係、をサーバによって確立し、記憶することと、
第２のユーザが指定された操作を前記情報について実施することを検出することに応答して、前記情報との前記対応関係を有する前記ピクチャを、前記サーバによって見出すことと、
前記第２のユーザによって実施された前記操作の操作情報を記録して、前記記録された操作情報を前記見出されたピクチャの関連情報として記憶することと、を含む、媒体。
【請求項１５】
前記行為は前記見出されたピクチャの前記関連情報を前記第１のユーザに提供することをさらに含む、請求項１４に記載の１つ以上のコンピュータ可読媒体。
【請求項１６】
前記第２のユーザが前記指定された操作を前記情報について実施することを検出することは、
前記第２のユーザがクリック操作を前記情報について実施することを検出することと、
前記見出されたピクチャの前記関連情報を前記第１のユーザに提供することであって、
記憶される前記見出されたピクチャの関連情報片の数を判定することと、
記憶される前記見出されたピクチャの前記関連情報および前記判定された数を提供することと、を含む、前記第１のユーザに提供することと、を含む、請求項１５に記載の１つ以上のコンピュータ可読媒体。
【請求項１７】
前記第１のユーザによって公開される前記情報は商品情報を含み、前記第２のユーザが前記指定された操作を前記情報について実施することを検出することは、
前記第２のユーザが前記商品情報に対応する商品について、注文操作を実施することを検出することを含む、請求項１５に記載の１つ以上のコンピュータ可読媒体。
【請求項１８】
前記第２のユーザによって実施される前記操作の前記操作情報を記録することは、前記第２のユーザによって実施される前記操作の前記記録された操作情報として、前記第２のユーザによって注文される前記商品情報に対応する前記商品の注文価格を記録することを含む、請求項１７に記載の１つ以上のコンピュータ可読媒体。
【請求項１９】
前記見出されたピクチャの前記関連情報を前記第１のユーザに提供することは、
前記注文価格の合計を取得するために、前記見出されたピクチャの前記関連情報として設定される記録された注文価格を蓄積することと、
記憶される前記見出されたピクチャの前記関連情報および取得される前記注文価格の前記合計を提供することと、を含む、請求項１７に記載の１つ以上のコンピュータ可読媒体。
【請求項２０】
前記行為は、
前記サーバによって、前記第１のユーザに提供される記憶スペースから記憶されたピクチャを抽出することと、
事前設定された格付け規則に従い、かつ前記抽出されたピクチャに関して取得された注文価格のそれぞれの合計に基づいて、前記抽出されたピクチャを格付けすることと、
前記格付けされたピクチャを前記第１のユーザに提示することと、をさらに含む、請求項１９に記載の１つ以上のコンピュータ可読媒体。
【発明の詳細な説明】
【技術分野】
【０００１】
関連特許出願の相互参照
本出願は、「Ｍｅｔｈｏｄ  ａｎｄ  Ａｐｐａｒａｔｕｓ  ｏｆ  Ｐｒｏｖｉｄｉｎｇ  Ｐｉｃｔｕｒｅ  Ｒｅｌａｔｅｄ  Ｉｎｆｏｒｍａｔｉｏｎ」という名称の２０１２年４月１２日に出願された中国特許出願第２０１２１０１０６７６８．８号に対して外国優先権を主張し、これは、参照によってその全体がここに組み込まれる。
【０００２】
本開示は通信技術の分野に関し、特に、ピクチャ関連情報を提供する方法および装置に関する。
【背景技術】
【０００３】
ショッピングウェブサイトの出現により、販売者はショッピングウェブサイト上にオンライン店舗を直接設定し、物理的店舗の設定から生じる高価な経費を誘発することなく商品を販売し得る。さらに、購買者は外出することなくショッピングウェブサイト上で商品を直接購買し得、したがって、商品取引の効率を大きく改善する。
【０００４】
販売者が購買者に対してより詳細な商品情報を提供できるようにするため、ショッピングウェブサイトのサーバは典型的に、販売者によって提供されるそれぞれの商品に対応するピクチャを記憶するためのいくつかの記憶スペースを販売者に提供する。商品情報を公開するときは、販売者は記憶スペース内に記憶される特定のピクチャを参照し、そして商品情報および参照されるピクチャをページ上に公開することができる。
【０００５】
例えば、販売者が販売したい商品がワンピースドレスの場合は、ワンピースドレスのいくつかの写真をとり、サーバにアップロードされ得る。ワンピースドレスの商品情報が公開されると、これらのピクチャは、対応するページ上でワンピースドレスの商品情報と共に、参照および公開可能である。
【０００６】
しかしながら、ピクチャを記憶するためにサーバによって販売者に提供される記憶スペースは制限されるため、販売者は記憶スペースに記憶されるピクチャを管理することが必要であり、そして、記憶スペースが完全に占有された場合には、ピクチャのいくつかを削除することを必要とするであろう。
【０００７】
既存の技術においては、サーバはピクチャを追加および削除する機能を販売者に提供するが、販売者は彼／彼女の商品の販売量の大幅な増加を生じさせることが可能な、よりよき広告効果を記憶スペース内のどのピクチャが有するかを知らない。より劣るピクチャは広告の効果の改善に失敗するばかりでなく、彼／彼女の商品に対して負の効果も有し得、販売量に悪影響し、広告資源の浪費に繋がる。
【０００８】
上の例を続けると、販売者がワンピースドレスの商品情報を公開するときに、記憶スペース内に記憶される３つのピクチャの合計を参照するが、これら３つのピクチャのどれがワンピースドレスの販売量の大幅な増加を生じさせるかを知らない場合、販売者はこれら３つのピクチャのどれが使用される必要があるかを判定できず、それ故、これら３つのピクチャを常時記憶スペース内に維持することを必要とする。このことは販売者に対してサーバによって提供される記憶スペースが常時高い占有率の状態とし、サーバの記憶資源を浪費するであろう。
【発明の概要】
【０００９】
本要約は、下の発明を実施するための形態にさらに記述されている単純化された形式で一連の概念を紹介するために提供されている。この発明の概要は、主張されている主題のあらゆる主要な特徴または重要な特徴を確認することは意図されておらず、主張されている主題の範囲を決定する上での支援として単独に用いられることも意図されていない。例えば用語「技法」は、上の文脈によって許されるところにより、また本開示を通して、デバイス、システム、方法、および／またはコンピュータ可読命令を参照し得る。
【００１０】
本開示の実施形態は、既存の技法の下で、サーバの記憶資源を浪費する問題に取り組むために、ピクチャ関連情報を提供する方法および装置を提供する。
【００１１】
本開示の実施形態は、ピクチャ関連情報を提供する方法を提供し、
第１のユーザによって公開される情報とその情報を公開するときに第１のユーザによって参照されるピクチャとの間の対応関係をサーバによって確立し、記憶することと、
第２のユーザが指定された操作を情報について実施することを検出することに応答して、情報との対応関係を有するピクチャをサーバによって見出すことと、
第２のユーザによって実施される操作の操作情報を記録し、記録された操作情報を第１のユーザに対して提供するための見出されたピクチャの関連情報として記憶することと、を含む。
【００１２】
本開示の実施形態は、ピクチャ関連情報を提供する装置を提供し、
第１のユーザによって公開される情報と情報を公開するときに第１のユーザによって参照されるピクチャとの間の対応関係を確立し、記憶するように構成された作成モジュールと、
第２のユーザが指定された操作を情報について実施することを検出することに応答して、情報との対応関係を有するピクチャを見出すように構成された、検出および検索モジュールと、
第２のユーザによって実施される操作の操作情報を記録し、そして記録された操作情報を第１のユーザに提供するために見出されたピクチャの関連情報として記憶するように構成された、記録および提供モジュールと、を含む。
【００１３】
本開示の実施形態は、ピクチャ関連情報を提供する方法および装置を提供する。この方法では、サーバは、第１のユーザによって公開される情報と情報を公開するときに参照されるピクチャとの間の対応関係を確立する。第２のユーザが指定された操作を情報について実施することを検出すると、サーバは、情報との対応関係を有するピクチャを見出し、第２のユーザによって実施される操作行為の操作情報を記録し、そして記録された操作情報を第１のユーザに提供するための見出されたピクチャの関連情報として記憶する。前述の方法を通して、第１のユーザはそれぞれのピクチャの関連情報に従って削除されるピクチャを選択し、そして選択されたピクチャをサーバによって提供される記憶スペースから削除可能である。したがって、記憶スペースは多くを占有されず、したがって、サーバの記憶資源を節約する。
【図面の簡単な説明】
【００１４】
【図１】本開示の実施形態に従う、ピクチャ関連情報を提供するプロセスである。
【図２】本開示の実施形態に従う、ショッピングウェブサイトのサーバに適用されるピクチャ関連情報提供のプロセスである。
【図３】本開示の実施形態に従う、図２のブロックＳ２０１〜Ｓ２０４に基づく、データベース間の関係を図解する略図である。
【図４】本開示の実施形態に従う、図２のブロックＳ２０５に基づく、データベース間の関係を図解する略図である。
【図５】本開示の実施形態に従う、第１のユーザに提供される判定されたピクチャの関連情報を図解する略図である。
【図６】本開示の実施形態に従う、注文価格の合計の降順の、サーバによる格付けの例における、サーバによって第１のユーザに提供されるそれぞれの格付けされたピクチャを図解する略図である。
【図７】本開示の実施形態に従う、ピクチャ関連情報を提供する装置を図解する略図である。
【図８】図７で記述された装置例の構造図である。
【発明を実施するための形態】
【００１５】
第２のユーザが指定された操作を第１のユーザによって公開された情報について実施することを検出した後、模範的サーバは指定された操作の操作情報を記録し、そして記録された操作情報を、第１のユーザに提供するためにピクチャの関連情報（情報を公開するときに第１のユーザによって参照される）として記憶する。そのようにして、第１のユーザはサーバによって提供されるピクチャの関連情報に基づいて削除されるピクチャを選択可能であり、そして選択されたピクチャを、サーバによって第１のユーザに提供される記憶スペースから削除可能である。記憶スペースは大きく占有されることはなく、したがって、サーバの記憶資源を節約する。
【００１６】
本開示の実施形態は、付属図と併せて以降詳細に記述される。
【００１７】
図１は本開示の実施形態に従い、ピクチャ関連情報を提供するプロセスであり、その詳細は以下のブロックを含む。
【００１８】
Ｓ１０１：サーバは、第１のユーザによって公開された情報と、情報を公開するときに第１のユーザによって参照されるピクチャとの対応関係を確立し、記憶する。
【００１９】
この実施形態では、第１のユーザが情報を公開し、情報を公開するときにピクチャを参照するとき、サーバは、第１のユーザによって公開される情報の情報識別子と、情報を公開するときに第１のユーザによって参照されるピクチャのピクチャ識別子の両方を記録し、記録された情報識別子と記録されたピクチャ識別子の間の対応関係を、第１のユーザによって公開された情報と情報を公開するときに参照されるピクチャとの間の確立された対応関係として確立し、記憶し得る。情報を公開するときに第１のユーザによって参照されるピクチャは、サーバによって第１のユーザに提供される記憶スペース内に記憶される。さらに、第１のユーザは、１つの情報片を公開するときに、記憶スペース内の複数のピクチャを参照し得、そして記憶スペース内のピクチャは複数の情報片によっても参照されることが可能である。
【００２０】
例えば、第１のユーザにサーバによって提供された記憶スペースは３つのピクチャを記憶し得る−ピクチャＡ、ピクチャＢおよびピクチャＣ。第１のユーザが情報ａを公開する間にピクチャＡおよびピクチャＢを参照する場合、サーバは情報ａの情報識別子およびピクチャＡおよびピクチャＢのピクチャ識別子を記録する。第１のユーザが、情報ｂを公開するときにピクチャＢおよびピクチャＣを参照する場合、サーバは、情報ｂの情報識別子およびピクチャＢおよびピクチャＣのピクチャ識別子を記録する。
【００２１】
情報ａを公開するときに第１のユーザはピクチャＡおよびピクチャＢを参照するので、サーバは情報ａの情報識別子とピクチャＡのピクチャ識別子との間の対応関係を確立し、そして情報ａの情報識別子とピクチャＢのピクチャ識別子との間の対応関係を確立し、すなわち、情報ａのピクチャＡおよびピクチャＢとの対応関係を確立する。第１のユーザは情報ｂを公開するときにピクチャＢおよびピクチャＣを参照するので、サーバは、情報ｂの情報識別子とピクチャＢのピクチャ識別子との間の対応関係を確立し、そして情報ｂの情報識別子とピクチャＣのピクチャ識別子との間の対応関係を確立し、すなわち、情報ｂのピクチャＢおよびピクチャＣとの対応関係を確立する。
【００２２】
Ｓ１０２：サーバは、第２のユーザが指定された操作を情報について実施することを検出することに応答して、情報との対応関係を有するピクチャを検索し、見出す。
【００２３】
この実施形態では、サーバは、第１のユーザによって公開された情報を検出し、そして第２のユーザが指定された操作を第１のユーザによって公開された情報について実施するかどうかを判定する。指定された操作は、必要に応じて構成され得る。第２のユーザは、第１のユーザとは異なる別のユーザを参照する。第２のユーザが指定された操作を第１のユーザによって公開された情報について実施することを検出すると、情報に対応するピクチャは、情報とブロックＳ１０１において確立されたピクチャとの間の対応関係に基づいて、検索され、見出される。
【００２４】
上の例を続けると、第２のユーザが指定された操作を情報ａについて実施することを検出すると、サーバは、情報ａの情報識別子に対応するピクチャ識別子を検索し、ピクチャ識別子はピクチャＡのピクチャ識別子およびピクチャＢのピクチャ識別子であることが見出され、すなわち、情報ａと対応関係を有することが見出されたピクチャはピクチャＡおよびピクチャＢである。相応して、第２のユーザが指定された操作を情報ｂについて実施することを検出すると、サーバは情報ｂの情報識別子に対応するピクチャ識別子を検索し、ピクチャ識別子はピクチャＢのピクチャ識別子およびピクチャＣのピクチャ識別子であることが見出され、すなわち、情報ｂと対応関係を有することが見出されたピクチャはピクチャＢおよびピクチャＣである。
【００２５】
Ｓ１０３：第２のユーザによって実施される操作の操作情報は、見出されたピクチャの関連情報として記録され、記憶され、これは第１のユーザに提供される。
【００２６】
上の例を続けると、サーバは、第２のユーザによって情報ａについて実施された操作活動の操作情報を記録し、これは操作情報ａとして表示され、そして操作情報ａをピクチャＡの関連情報片として、そしてまたピクチャＢの関連情報片としても記憶する。具体的には、操作情報ａとピクチャＡとの間の対応関係、および操作情報ａとピクチャＢとの間の対応関係が作成される。その後、ピクチャＡとの対応関係を有するすべての操作情報は、ピクチャＡの関連情報として第１のユーザに提供され得る。ピクチャＢとの対応関係を有するすべての操作情報は、ピクチャＢの関連情報として第１のユーザに提供され得る。対応して、サーバは第２のユーザによって情報ｂについて実施された操作の操作情報を記録し、これは操作情報ｂとして表示され、そして、操作情報ｂを前述の方法を使用して、ピクチャＢの関連情報片として、そしてまたピクチャＣの関連情報片として記憶する。
【００２７】
ピクチャの関連情報を第１のユーザに提供するとき、サーバは、ピクチャとの対応関係を有するすべての記録された操作情報を、第１のユーザに提供するための、ピクチャの関連情報として設定する。
【００２８】
上の例を続けると、ピクチャＡとの対応関係を有する操作情報は操作情報ａであるため、操作情報ａは、ピクチャＡの関連情報として第１のユーザに提供される。ピクチャＢとの対応関係を有する操作情報は操作情報ａおよび操作情報ｂであるので、操作情報ａおよび操作情報ｂは、ピクチャＢの２つの関連情報片として第１のユーザに提供される。ピクチャＣとの対応関係を有する操作情報は操作情報ｂであるので、操作情報ｂはピクチャＣの関連情報として第１のユーザに提供される。
【００２９】
前述の方法を通して、サーバは、第１のユーザが記憶スペース内に記憶されたピクチャを管理するための正確な基盤を提供する。サーバによってそれぞれ提供されるピクチャＡ、ピクチャＢおよびピクチャＣの関連情報に基づき、第１のユーザは、これら３つのピクチャのどのピクチャが維持されることを必要とし、そしてどのピクチャが削除されることを必要とするかを判定可能であり、記憶スペースから対応するピクチャを削除し、したがって、サーバによって第１のユーザに対して提供される記憶スペースは大きく占有されることはなく、それにより、サーバの記憶資源を節約する。
【００３０】
この実施形態では、第１のユーザによって公開される、情報について第２のユーザにより実施される指定された操作は、第１のユーザによって公開される情報について、第２のユーザによって実施されるクリック操作として設定され得る。このケースでは、ブロックＳ１０２において、第２のユーザが第１のユーザによって公開された情報についてクリック操作を実施することをサーバが検出すると、次にサーバは、第１のユーザによって公開された情報について第２のユーザが指定された操作を実施することを判定する。
【００３１】
さらに、検出されることになる指定された操作（第１のユーザによって公開される情報について第２のユーザによって実施される）はクリック操作であるので、サーバは、ピクチャの関連情報が第１のユーザに提供されるとき、第１のユーザに対し、ピクチャとの対応関係を有するすべての操作情報の組み合わせ値をさらに提供し得、すなわち、第１のユーザに対し、ピクチャとの対応関係を有するすべてクリック操作の数を提供する。具体的には、図１のブロックＳ１０３において、第１のユーザに対して見出されたピクチャの関連情報を提供するとき、サーバは、記憶された見出されたピクチャの関連情報片の数を判定し、そして、第１のユーザに対し、記憶された見出されたピクチャの関連情報および判定された数を提供する。さらに、サーバが記録された操作情報とピクチャとの間の対応関係を確立するとき、情報によって参照されるピクチャとの対応関係を有する操作情報片が、第１のユーザによって公開される情報についての第２のユーザのクリック操作の故に生成される。それゆえ、ピクチャとの対応関係を有するすべての操作情報片の数は、ピクチャとの対応関係を有するすべてのクリック操作の数に対応する。
【００３２】
第１のユーザに提供される記憶スペースに記憶された各ピクチャに関し、前述の方法が、第１のユーザに対し、ピクチャと対応関係を有するすべての記録された操作情報ならびにピクチャと対応関係を有するすべての操作情報片の数を提供した後、第１のユーザは、どのピクチャが彼／彼女が公開した情報によりよき記述効果を有するか、そしてどのピクチャが彼／彼女が公開した情報に対してより劣る記述効果を有するかを、各ピクチャとの対応関係を有する操作情報片のそれぞれの数に直感的に基づいて、判定可能である。
【００３３】
上の例を続けると、第２のユーザが第１のユーザによって公開された情報についてクリック操作を実施する場合、ピクチャＡは操作情報片ａに対応し、ピクチャＢは操作情報片ａに対応する。２人の第２のユーザが第１のユーザによって公開された情報ｂについてクリック操作を実施する場合、ピクチャＢは２つの操作情報片ｂに対応し、ピクチャＣは２つの操作情報片ｂに対応する。このように、ピクチャＡとの対応関係を有するすべての操作情報片の数は１（１つの操作情報片ａ）である。ピクチャＢとの対応関係を有するすべての操作情報片の数は３（１つの操作情報片ａおよび２つの操作情報片ｂ）である。ピクチャＣとの対応関係を有するすべての操作情報片の数は２（２つの操作情報片ｂ）である。各ピクチャとの対応関係を有する操作情報片のそれぞれの数に基づき、第１のユーザは、ピクチャＢは彼の公開した情報に対してよりよき記述効果を有すること、そしてピクチャＡは彼の公開した情報に対してより劣る記述効果を有すると直感的に判定可能である。ピクチャＡはそれゆえ削除され得る。
【００３４】
この実施形態において、図１に図解される方法がショッピングウェブサイトのサーバに適用されると、第１のユーザは販売者として活動する第１のユーザであり、第２のユーザは購買者として活動する第２のユーザである。この時点において、販売者として活動する第１のユーザによって公開された情報が商品情報である場合は、サーバが第１のユーザによって公開される情報と情報を公開するときに参照されるピクチャとの間の対応関係を確立する方法は、第１のユーザによって公開された商品情報の商品識別子および商品情報を公開するときに第１のユーザによって参照されるピクチャのピクチャ識別子を記録すること、および記録された商品識別と記録されたピクチャ識別子との間の対応関係を確立することを含み得、なお、商品識別子は商品識別（ＩＤ）を含み得る。例えば、商品情報を公開するときに第１のユーザによって参照されるピクチャの記録されたピクチャ識別子も、ピクチャＩＤであり得る。
【００３５】
この時点で、ブロックＳ１０２において指定された操作は、商品情報に対応する商品について、第２のユーザによって実施される注文操作として設定され得る。言い換えれば、サーバは、第２のユーザが商品情報に対応する商品について注文操作を実施することを検出することに応答して、第１のユーザによって公開される商品情報について第２のユーザが指定された操作を実施すると判定する。相応して、サーバは第２のユーザによって実施されるこの操作の操作情報を記録し、それは、商品情報に対応し、第２のユーザによって実施される操作の記録された操作情報として、第２のユーザによって注文される商品の注文価格を記録することを含み得る。図１に示される方法のショッピングウェブサイトのサーバへの適用プロセスの詳細は、図２に示されている。
【００３６】
図２は本開示の実施形態に従ってショッピングウェブサイトのサーバに適用されるピクチャ関連情報の適用プロセスであり、その詳細は以下の各ブロックを含む。
【００３７】
Ｓ２０１：サーバは、第１のユーザによって公開される商品情報の商品識別子および、商品情報を公開するときに第１のユーザによって参照されるピクチャのピクチャ識別子を記録する。
【００３８】
Ｓ２０２：記録された商品識別子と記録されたピクチャ識別子との間の対応関係が作成される。
【００３９】
Ｓ２０３：第２のユーザが商品情報に対応する商品について注文操作を実施することを検出した後、サーバは商品情報の商品識別子に対応するピクチャ識別子を検索、見出し、そして見出されたピクチャ識別子を有するピクチャを判定する。
【００４０】
Ｓ２０４：商品情報に対応し、第２のユーザによって注文される商品の注文価格が記録される。記録された注文価格と判定されたピクチャとの間の対応関係が作成される。
【００４１】
購買者として活動する第２のユーザが、ショッピングウェブサイトのサーバにおいて特定の商品情報に対応する商品について注文操作を実施すると、サーバは購入注文を生成し、これは第２のユーザによって注文される商品の注文価格を記録する。
【００４２】
前述のブロックＳ２１０〜Ｓ２０４は、サーバのデータ収集プロセスとして考慮され得る。データ収集プロセスに関連するそれぞれのデータベース間の関係は、図３に示されている。
【００４３】
図３は、本開示の実施形態に従って、図２のブロックＳ２０１〜Ｓ２０４におけるデータベース間の関係を図解する略図である。図３において、第１のユーザはピクチャを参照する商品情報を公開する３０１。商品情報に対応する商品識別子は、商品データベース３０２内に記憶される。商品識別子と商品情報によって参照されるピクチャのピクチャ識別子との間の、サーバによって作成される対応関係は、ピクチャおよび商品合同データベース３０３に記憶される。第２のユーザが商品情報に対応する商品について注文操作を実施すると３０４、サーバは、第２のユーザによって注文される商品の注文価格と生成された購入注文を通して商品情報によって参照されるピクチャとの間の対応関係を作成し３０５、対応関係をピクチャおよび注文合同データベース３０６に記憶し、そして生成された注文を注文データベース３０７に記憶する。
【００４４】
Ｓ２０５：判定されたピクチャとの対応関係を有する、すべての記録された注文価格は、判定されたピクチャの関連情報として設定され、そして第１のユーザに提供される。
【００４５】
各第２のユーザの注文操作は購入注文を生成するので、サーバは、第１のユーザに対し、判定ピクチャとの対応関係を有するすべての注文価格が所属する注文番号をさらに提供し得る。その時点において、図２のブロックＳ２０５は、サーバがピクチャの関連情報を第１のユーザに提示するプロセスとして活動し得る。このプロセスに関連するデータベース間の関係は図４に示されている。
【００４６】
図４は、本開示の実施形態に従い、図２のブロックＳ２０５においてデータベース間の関係を図解する略図である。図４において、サーバは、図５に図解されるように、記憶スペース４０１から、第１のユーザに提供されるそれぞれのピクチャを抽出し、それぞれのピクチャとの対応関係を有する注文価格を、ピクチャおよび注文合同データベース４０２から抽出し、注文価格が所属する注文番号を注文データベース４０３から抽出し、抽出されたピクチャ、注文価格、および注文番号を集め４０４、そして最後に第１のユーザに対してそれらを提供する４０５。
【００４７】
図５は、本開示の実施形態に従う、第１のユーザに提供される判定されたピクチャの関連情報を図解する略図である。図５に示されるように、サーバは、表示されたピクチャ５０１を第１のユーザに提示し、判定されたピクチャと対応関係を有するすべての記録された注文価格５０２と、注文価格が所属するそれぞれの注文番号５０３とを第１のユーザに提供する。図５は、図解のための例として、判定されたピクチャとの対応関係を有するすべての記録された注文価格を＄１００として、そして注文価格が所属するそれぞれの注文番号を注文１〜注文ｎとして使用する。
【００４８】
ブロックＳ２０５において、第１のユーザに対してピクチャ管理の正確な基準をさらに提供し、そしてサーバの記憶資源をさらに節約するために、サーバは、注文価格の合計を取得するために、ピクチャの関連情報として設定されるすべての記録された注文価格をさらに蓄積し得、そして、第１のユーザに対し、記憶されたピクチャの関連情報および取得された注文価格の合計を提供する。具体的には、サーバは、注文価格の合計を取得するために、ピクチャとの対応関係を有するすべての記録された注文価格を蓄積し、そして、第１のユーザに対し、判定されたピクチャとの対応関係を有するすべての記録された注文価格と取得された注文価格の合計を提供することができる。第１のユーザは、どのピクチャが彼／彼女の商品の販売量をより多く改善し得るか、そしてどのピクチャが彼／彼女の商品の販売量をより少なく改善し得るかを、それぞれのピクチャの注文価格の合計に基づいて直感的に判定し得る。
【００４９】
さらに、第１のユーザのピクチャを第１のユーザに提示するとき、サーバは、第１のユーザに提供される、記憶スペース内に記憶されたピクチャをさらに抽出し、抽出されたピクチャを、抽出されたピクチャについて取得されたそれぞれの注文価格の合計に基づき、そして事前設定格付け規則に従って格付けおよび提示を行い得る。格付け規則は必要に応じて設定され得る。例えば、注文価格の合計の降順に従って、または注文価格の合計の昇順等に従って、格付け順番は設定され得る。
【００５０】
図６は、本開示の実施形態に従って、注文価格の合計の降順に従い、サーバによって格付けされた注文の例を使用して、サーバによって第１のユーザに対して提示される格付けされたピクチャを図解する略図である。図６において、第１のユーザに対して提供された記憶スペースは、合計６個のピクチャ６０１〜６０６すなわちピクチャ１〜６、を記憶する。これら６個のピクチャは、それぞれの注文価格の合計の降順で格付けされ、そして第１のユーザに対して提示される。格付け順番に基づき、第１のユーザは、サーバの記憶資源を節約するため、格付け順番の終わりに位置付けされたいくつかのピクチャを直感的に削除し得る。
【００５１】
前述のものと類似する考えに基づき、サーバは、ピクチャとの対応関係を有するすべての記録された注文価格の数をさらに判定し、そして、ピクチャ、判定された注文価格の合計、および注文価格の判定された数との対応関係を有するすべての記録された注文価格を、第１のユーザに提供し得る。これらの詳細は、本明細書中に繰り返して記述されるであろう。
【００５２】
図７は本開示の実施形態に従い、ピクチャ関連情報を提供する装置の構造図であり、それらの詳細に含まれるのは、
第１のユーザによって公開される情報と、情報を公開するときに第１のユーザによって参照されるピクチャとの間の対応関係を確立し、記憶するように構成された作成モジュール７０１と、
第２のユーザが指定された操作を情報について実施することを検出したことに応答して、情報と対応関係を有するピクチャを見出すように構成された、検出および検索モジュール７０２と、
第２のユーザによって実施される操作の操作情報を記録し、記録された操作情報を、第１のユーザに提供される見出されたピクチャの関連情報として記憶するように構成された、記録および提供モジュール７０３と、である。
【００５３】
検出および検索モジュール７０２は、第２のユーザがクリック操作を情報について実施することを検出することに応答して、第２が指定された操作を情報について実施することを判定するようにさらに構成され得る。
【００５４】
記録および提供モジュール７０３は、記憶される見出されたピクチャの関連情報片の数を判定し、第１のユーザに対して、記憶される見出されたピクチャの関連情報と判定された数を提供するようにさらに構成され得る。
【００５５】
検出および検索モジュール７０２は、第１のユーザによって公開される情報が商品情報であるとき、第２のユーザが商品情報に対応する商品について注文操作を実施することを検出したことに応答して、指定された操作を商品情報について第２のユーザが実施することを判定するようにさらに構成され得る。
【００５６】
記録および提供モジュール７０３は、商品情報に対応し、そして第２のユーザによって実施される操作の記録された操作情報として第２のユーザによって注文される商品の注文価格を記録するようにさらに構成され得る。
【００５７】
記録および提供モジュール７０３は、注文価格の合計を取得するために、見出されたピクチャの関連情報として設定されるすべての記録された注文価格を蓄積し、記憶された見出されたピクチャの関連情報および取得された注文価格の合計を第１のユーザに対して提供するようにさらに構成され得る。
【００５８】
装置がさらに含むのは、
第１のユーザのピクチャを提示するときに、第１のユーザに対して提供される記憶スペースに記憶されたピクチャを抽出し、そして、抽出されたピクチャについて取得される注文価格のそれぞれの合計に基づき、そして事前設定格付け規則に従い、抽出されたピクチャを格付けし、提示するように構成された、格付けおよび提示モジュール７０４である。
【００５９】
本開示の実施形態は、ピクチャ関連情報を提供する方法および装置を提供する。この方法では、サーバは、第１のユーザによって公開された情報と、情報を公開するときに参照されるピクチャとの間の対応関係を確立し、そして第２のユーザが指定された操作を情報について実施することを検出すると、サーバは情報との対応関係を有するピクチャを見出し、第２のユーザによって実施される操作活動の操作情報を記録し、そして、記録された操作情報を、第１のユーザに対して提供される見出されたピクチャの関連情報として記憶する。前述の方法を通して、第１のユーザは、それぞれのピクチャの関連情報に従って、削除されるピクチャを選択し、そして選択されたピクチャをサーバによって提供された記憶スペースから削除可能である。そのため、記憶スペースは大きく占有されることはなく、したがって、サーバの記憶資源を節約する。
【００６０】
当業者は、本開示の実施形態は、方法、システム、またはコンピュータソフトウェアの製品として実装され得ることを理解するであろう。それゆえ、本開示はハードウエア、ソフトウェア、またはハードウエアとソフトウェアの組み合わせの形で実装され得る。さらに、本開示は、コンピュータ可読プログラム命令を含む１つ以上のコンピュータ可読記憶媒体（限定されないが、ディスク記憶デバイス、ＣＤ−ＲＯＭ、光学記憶デバイス等を含む）上で実行可能なコンピュータソフトウェアの製品の形で実装され得る。
【００６１】
本開示は、模範的方法、装置（デバイス）およびコンピュータプログラム製品のフローチャートおよび／またはブロック図に従って、記述される。各プロセスおよび／またはブロック、およびフローチャートおよび／またはブロック図のプロセスおよび／またはブロックの組み合わせは、コンピュータプログラム命令の形で実装され得ることを理解されたい。そのようなコンピュータプログラム命令は、汎用コンピュータ、特殊目的コンピュータ、埋め込みプロセッサ、または機械を生成するためにプログラム可能データ処理デバイスを有する別の処理装置に提供され得、それにより、フローチャートの１つ以上のプロセス内に記述される１つ以上のブロックおよび／またはブロック図の１つ以上のブロックに表示される機能を有する装置は、コンピュータによって、またはプログラム可能データ処理デバイスを有する他の処理装置によって命令を実行することにより、実装され得る。
【００６２】
そのようなコンピュータプログラム命令は、コンピュータまたは別のプログラム可能データ処理装置に対して特定の形で機能され得るコンピュータ可読メモリデバイスにも記憶され得、したがって、命令装置を含む製品は、コンピュータ可読メモリデバイス内に記憶された命令に基づいて構築され得る。命令デバイスは、フローチャートの１つ以上のプロセスおよび／またはブロック図の１つ以上のブロックによって表示される機能を実装する。
【００６３】
コンピュータプログラム命令は、コンピュータまたは別のプログラム可能データ処理装置へもロードされ得、したがって、一連の操作はコンピュータまたは他のデータ処理装置によって実行されてコンピュータ実装処理を生成し得る。それゆえ、コンピュータまたは他のプログラム可能装置によって実行される命令は、フローチャートの１つ以上のプロセスおよび／またはブロック図の１つ以上のブロックを実装するために使用され得る。
【００６４】
例えば、図８は、より詳細に上に記述された装置等の、提供装置８００の例を図解する。一実施形態では、装置８００は、それらに限定されないが、１つ以上のプロセッサ８０１、ネットワークインターフェース８０２、メモリ８０３、および入力／出力インターフェース８０４を含むことが可能である。
【００６５】
メモリ８０３は、ランダムアクセスメモリ（ＲＡＭ）等の揮発性メモリ、および／または、読み出し専用メモリ（ＲＯＭ）またはフラッシュＲＡＭ等の不揮発性メモリの形式のコンピュータ可読媒体を含み得る。メモリ８０３は、コンピュータ可読媒体の一例である。
【００６６】
コンピュータ可読媒体には、コンピュータ可読命令、データ構造、プログラムモジュール、または他のデータ等の、情報の記憶のための任意の方法または技術で実装される、揮発性及び不揮発性、取り外し可能および取り外し不可能媒体を含む。コンピュータ記憶媒体の例は、これらに限定されないが、相変化メモリ（ＰＲＡＭ）、スタティックランダムアクセスメモリ（ＳＲＡＭ）、ダイナミックランダムアクセスメモリ（ＤＲＡＭ）、他のタイプのランダムアクセスメモリ（ＲＡＭ）、読み取り専用メモリ（ＲＯＭ）、電気的消去可能プログラム式読み取り専用メモリ（ＥＥＰＲＯＭ）、フラッシュメモリまたは他のメモリ技術、コンパクトディスク読み出し専用メモリ（ＣＤ−ＲＯＭ）、デジタル汎用ディスク（ＤＶＤ）、または他の光学記憶装置、磁気カセット、磁気テープ、磁気ディスク記憶装置または他の磁気記憶デバイス、またはコンピューティングデバイスによるアクセスのための情報を記憶するために使用可能な任意の他の非一時的媒体を含む。本明細書中に定義されるように、コンピュータ可読媒体は、変調されたデータ信号および搬送波等の一時的媒体は含まない。
【００６７】
メモリ８０３は、プログラムモジュール８０５およびプログラムデータ８０６を含み得る。一実施形態では、プログラムモジュール８０５は作成モジュール８０７、検出および検索モジュール８０８、記録および提供モジュール８０９、および格付けおよび提示モジュール８１０を含み得る。それらのこのプログラムモジュールに関する詳細は、上に記述された先の実施形態内に見出され得る。
【００６８】
当業者は、本開示の精神および範囲から逸脱することなく、本出願の変更および修正を行い得る。これらの変更および修正が請求項および本開示の同等項目の範囲内である場合には、本開示はそのような変更および修正を包含することを意図する。
【図１】
2015513164.tif 000003
【図２】
2015513164.tif 000004
【図３】
2015513164.tif 000005
【図４】
2015513164.tif 000006
【図５】
2015513164.tif 000007
【図６】
2015513164.tif 000008
【図７】
2015513164.tif 000009
【図８】
2015513164.tif 000010
【国際調査報告】
2015513164.tif 000011